(57)【特許請求の範囲】
【請求項１】
正面側に開口する筐体と、筐体に対して水平方向に回動自在に軸支され前記筐体の開口上部を塞ぐ上扉と、前記筐体に水平方向に回動自在に軸支され前記筐体の開口下部を塞ぐ下扉と、複数の図柄を停止表示及び変動表示可能な図柄表示手段を有し前記筐体の開口上部に収納されるリールユニットとを少なくとも備えた遊技機において、
前記上扉は、正面側から背面側に貫通する開口部を有する扉本体と、前記図柄表示手段の図柄を正面側から視認可能とする透明部を有し前記開口部を塞ぐパネル体とから構成され、
前記扉本体の底部には、前記パネル体を挿入可能な挿入溝が形成され、前記扉本体の内部には、前記挿入溝から挿入されるパネル体の側端部を前後方向から支持可能なガイド部が設けられ、
前記パネル体は、前記挿入溝から挿入後、前記ガイド部に添って正面視上下方向にスライド可能であるとともに、前記開口部を完全に塞ぐ定位置まで挿入すると、パネル体側に設けられた係合部と扉本体側に設けられた被係合部とが係合して、前記扉本体に仮固定可能に形成され、
前記扉本体には、前記パネル体を前記定位置まで移動させたときに前記パネル体の挿入溝外方向への移動を阻止する閉位置、及び前記パネル体の前記挿入溝への挿入を阻害しない開位置に移動させることができる固定部材を設け、
前記固定部材を開位置にして前記パネル体を前記挿入溝に挿入し、前記パネル体が前記扉本体に仮固定された状態で、前記固定部材を閉位置に移動させることにより、前記パネル体が前記扉本体の開口部を塞いだまま前記挿入溝から抜脱することなく前記扉本体に固定されることを特徴とする遊技機。
【請求項２】
前記パネル体は、前記透明部を有する板状のパネルと、このパネルの外周を囲む方形枠状のパネル枠とから構成され、
前記パネル枠の正面側は、前記パネルの表面よりも突出して形成されているとともに、前記パネル体が前記扉本体の定位置に位置したときに、前記パネル枠の正面側内縁部と前記扉本体の開口部の正面側内縁部とが面一となるように形成されていることを特徴とする請求項１記載の遊技機。
【発明の詳細な説明】
【技術分野】
【０００１】
この発明は、前扉の構成部品を扉本体から着脱自在に形成した遊技機に関するものである。
【背景技術】
【０００２】
従来、資源の有効利用、遊技機交換作業の簡易化及び経費節減の観点から、前扉の構成部品を、扉本体（扉枠）と交換部材（パネルユニット、表示ユニット）とに分け、交換部材を扉本体から着脱自在に形成することにより、効率的に遊技機交換を行うことができる分離型スロットマシンが考案されている（特許文献１参照）。
【先行技術文献】
【特許文献】
【０００３】
【特許文献１】特開２００５−１５２４８３号公報
【発明の概要】
【発明が解決しようとする課題】
【０００４】
一方、上扉の基本的なデザインはそのままにして、パネルのみを新機種に対応したものに変更することはしばしば行われている。しかし、前述した従来の分離型スロットマシンでは、上扉の外観デザインを変えずにパネルのみ交換する場合でも、上パネルユニットと扉本体を分解してから上パネルを取り外す必要があり、作業に無駄な時間がかかっているという問題点があった。
そこで、請求項１記載の発明は、効率よくリサイクルを行うことができる遊技機を提供することを目的とし、請求項２記載の発明はそれに加えて、部品を交換した後も外観上優れた遊技機を提供することを目的とする。
【課題を解決するための手段】
【０００５】
請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（特徴点）
（請求項１）
請求項１記載の発明は、正面側に開口する筐体(1)と、筐体(1)に対して水平方向に回動自在に軸支され前記筐体(1)の開口上部(13)を塞ぐ上扉(3)と、前記筐体(1)に水平方向に回動自在に軸支され前記筐体(1)の開口下部(14)を塞ぐ下扉(4)と、複数の図柄を停止表示及び変動表示可能な図柄表示手段（回転リール23）を有し前記筐体(1)の開口上部(13)に収納されるリールユニット(30)とを少なくとも備えた遊技機に係る。
【０００６】
本発明に係る遊技機は、遊技場に設置される遊技機であって、例えばスロットマシンやそれに類する遊技機に適している。ここで、「図柄表示手段」には、表面に複数の図柄を表示した回転リール(23)の他、液晶表示装置に複数の図柄を表示可能にしたものも含まれる。すなわち、「リールユニット」には、支持体(21)に液晶表示装置などを搭載したものも含まれる。
なお、上扉(3)が「筐体(1)に対して水平方向に回動自在に軸支」とは、上扉(3)が筐体(1)に軸止されている場合と、筐体(1)の内部に設けられた支持部、例えばリールユニット(20)の支持体(21)の縦枠に軸止されている場合を含む意味である。
【０００７】
そして、本発明に係る遊技機において、前記上扉(3)は、正面側から背面側に貫通する開口部(31)を有する扉本体(上扉3A)と、前記図柄表示手段(23)の図柄を正面側から視認可能とする透明部(73)を有し前記開口部(31)を塞ぐパネル体（上パネルユニット70）とから構成され、前記扉本体(3A)の底部には、前記パネル体(70)を挿入可能な挿入溝（底部スリット34）が形成され、前記扉本体(3A)の内部には、前記挿入溝(34)から挿入されるパネル体(70)の側端部を前後方向から支持可能なガイド部(L)が設けられている。また、前記パネル体(70)は、前記挿入溝(34)から挿入後、前記ガイド部(L)に添って正面視上下方向にスライド可能であるとともに、前記開口部(31)を完全に塞ぐ定位置まで挿入すると、パネル体(70)側に設けられた係合部（仮止めフック75）と扉本体(3A)側に設けられた被係合部（溝57b）とが係合して、前記扉本体(3A)に仮固定可能に形成されている。さらに、前記扉本体(3A)には、前記パネル体(70)を前記定位置まで移動させたときに前記パネル体(70)の挿入溝外方向への移動を阻止する閉位置、及び前記パネル体(70)の前記挿入溝への挿入を阻害しない開位置に移動させることができる固定部材(固定フック90)を設けてある。そして、前記固定部材(90)を開位置にして前記パネル体(70)を前記挿入溝(34)に挿入し、前記パネル体(70)が前記扉本体(3A)に仮固定された状態で、前記固定部材(90)を閉位置に移動させることにより、前記パネル体(70)が前記扉本体(3A)の開口部(31)を塞いだまま前記挿入溝(34)から抜脱することなく前記扉本体(3A)に固定されることを特徴とする。
【０００８】
本発明は、パネル体(70)を扉本体(3A)の底側からスライド装着させるようにしたものである。
前記扉本体(3A)は、例えば基体（上扉枠50）にカバー部材（上扉カバー30）を装着して形成するなど、複数の部材から構成されていてもよい。この場合には、基体とカバー部材を固定した際に形成される隙間を、前記挿入溝(34)としてもよい。前記ガイド部(L)は、例えば、扉本体(3A)の内部であって開口部(31)の両端部に設置された断面コ字型のガイドレールとすることができ、あるいは、前記した基体とカバー部材の隙間にパネル体(70)が挟持されるように形成したものであってもよい。
【０００９】
前記係合部(75)と被係合部(57b)は、弾性変形するフックとこれを係止可能な溝又は突起、出没突起とこれが嵌入可能な凹部又は孔などとすることができる。係合部(75)と被係合部(57b)の係合は、パネル体(70)が扉本体(3A)の挿入溝(34)から自重で落下しない程度の係合であれば足りる。
前記固定部材(90)は、人が操作することにより位置移動して、扉本体(3A)の定位置に収納したパネル体(70)の挿入溝(34)からの脱落を阻止することができると共に、パネル体(70)を扉本体(3A)から取り外す場合に挿入溝(34)からの抜き取りを阻害しないように形成されているものである。
【００１０】
本発明によれば、扉本体(3A)を分解することなく、パネル部材(70)を着脱することができるので、遊技機の再生工場においてのリサイクル工程が省力化される。また、パネル部材(70)は扉本体(3A)に仮固定可能であるため、遊技場において扉本体(3A)を筐体(1)側に取り付けた状態でパネル部材(70)のみを交換する際に、パネル部材(70)が挿入溝(34)から落下することがなく、安全且つ簡易に作業を行うことができる。
（請求項２）
請求項２記載の発明は、上記した請求項１記載の発明の特徴点に加え、前記パネル体(70)は、前記透明部(73)を有する板状のパネル(上パネル72)と、このパネル(72)の外周を囲む方形枠状のパネル枠(上パネル枠71)とから構成され、前記パネル枠(71)の正面側は、前記パネル(72)の表面よりも突出して形成されているとともに、前記パネル体(70)が前記扉本体(3A)の定位置に位置したときに、前記パネル枠(71)の正面側内縁部(71A)と前記扉本体(3A)の開口部(31)の正面側内縁部(35)とが面一となるように形成されていることを特徴とする。
【発明の効果】
【００１１】
本発明は、以上のように構成されているので、請求項１記載の発明によれば、効率よくリサイクルを行うことができる遊技機を提供することができ、請求項２記載の発明によれば、パネル交換の際にパネル部材が傷つかず、またパネル装着時の収まりもよく、外観上優れた遊技機を提供することができる。
【図面の簡単な説明】
【００１２】
【図１】本発明の実施の形態であって、スロットマシンの外観斜視図である。
【図２】スロットマシンの分解斜視図である。
【図３】上扉の分解斜視図である。
【図４】上パネルユニットの分解斜視図である。
【図５】上パネルユニットの取り付けを示す斜視図である。
【図６】上扉の部分拡大斜視図である。
【図７】図６のVII−VII線断面図である。
【図８】上扉の底面図である。
【図９】固定レバーを示す斜視図である。
【図１０】図６のＸ−Ｘ線断面図である。
【図１１】下扉の分解斜視図である。
【図１２】仮止めフックの他の例を示す上扉の部分縦断面図である。
【図１３】ガイド部の他の例を示す上扉の部分横断面図である。
【発明を実施するための形態】
【００１３】
本発明を実施するための最良の形態を、遊技機としてスロットマシンを例に、図面に基づき説明する。
本実施の形態におけるスロットマシンＳは、図２に示すように、大きく分けて、正面側に開口部11を有する筐体１、筐体１内部に着脱自在に設けられるリールユニット20、筐体１の開口部11を開閉可能に塞ぐ前扉２とから構成されている。そして、この前扉２は、筐体１の開口上部13を開閉可能に塞ぐ上扉３、筐体１の開口下部14を開閉可能に塞ぐ下扉４とに分割されている。
（筐体１）
筐体１は、底板15及び側板16及び天板及び裏板からなる前面（遊技者と対峙する正面）側に開口する箱体であり、高さ方向略中央部には、二つの側板16の間に水平方向に中板12が設けられている。そして、この中板12の下面には電源ユニット６が設けられ、底板15にはホッパーユニット５が設置されている。
【００１４】
ここで、電源ユニット６は、中板12の下面に、取り付け板等を介して取り付けられており、特に図示しないが電源装置が内装されていると共に、ホール管理者が種々の設定を行うためのスイッチ等を有している。
上記電源ユニット６及びホッパーユニット５は、いわゆる「面替え」に際し、必ずしも交換する必要のないものであり、遊技機交換時には設置されたままにしておけるようになっているものである。
また、正面左側の側板16の下部には、前記下扉40を係合させ、回転自在に支持するためのヒンジ19が、上下方向に間隔をおいて二つ設けられている。なお、本実施の形態では上扉３をリールユニット20の支持体21に取り付ける構成としているが、上扉３を筐体１の側板16に回転自在に取り付ける構成としてもよい。この場合には、正面左側の側板16の上側にも、上扉３を係合させ回転自在に支持するためのヒンジを設ければよい。
【００１５】
（リールユニット20）
リールユニット20は、種々の部品を設置あるいは固定するための支持体21を備え、この支持体21には周囲に複数の図柄を表示した３個の回転リール23及び制御装置７が取り付けられている。
支持体21は、方形状の金属枠からなり、回転リール23及び制御装置７を筐体内部に着脱自在に固定するとともに、回転リール23及び制御装置７を一体的に取り扱い可能とするものである。なお、支持体21は、他の構成部品（例えば演出用の表示装置）を固定設置可能であってもかまわない。
【００１６】
ここで、支持体21には、特に図示しないが、各回転リール23を回転させるための駆動モータが固定されており、回転リール23は各駆動モータに軸着されている。また、前記制御装置７には、遊技及びスロットマシンＳの作動を制御するための主基板と、各種演出を行うための副基板が内装されている。主基板及び副基板は、ＣＰＵを中心に構成され、ＲＯＭ、ＲＡＭ、Ｉ／Ｏ等を備えている。そして、ＣＰＵがＲＯＭに記憶されたプログラムを読み込むことで、例えば当選役を決定する抽選や回転リール23の回転及び停止を制御する制御装置として機能する。なお、前記副基板は、例えば入賞したことを報知する演出機能を有しており、主基板とは別に配置してもよい。
【００１７】
前記支持体21の正面左側の縦枠には、前記上扉３を回転自在に係合するためのヒンジ25が、上下方向に間隔をおいて二つ設けられている。
リールユニット20は、筐体１の中板12の上に乗せ、開口上部13内部に収納されるものである。そして、筐体１の側板16の内側に設けられたクリップなどの固定装置（図示せず）によりに筐体１に固定される。
（上扉３）
上扉３は、リールユニット20の支持体21に回転自在かつロック可能に形成されている板状の扉であり、図１に示すように、略中央部に前記回転リール23の図柄を正面側から見ることができる図柄表示窓3aを有し、周囲には演出表示部3bを設けてある。
【００１８】
ここで、上扉３は、図３に示すように、上扉カバー30、上扉枠50、上パネルユニット70の３つのブロックに分解することができる。このうち、上扉カバー30及び上扉枠50は、スロットマシンＳの複数機種に共通して使用可能な部材であり、上扉枠50に上扉カバー30が固定されている。そして、上扉カバー30及び上扉枠50からなる上扉本体3Aに、スロットマシンＳの機種ごとに異なる上パネルユニット70が着脱自在に取り付けられているものである。
（上扉カバー30）
上扉カバー30は、上扉３の外観を形成するものであり、図３に示すように、前後方向に貫通する開口部31を有し、開口部31の側方にはランプ33が設けられていると共に、開口部31の上方には、透明部材を嵌め込んだ表示窓33が設けられている。ランプ33は、図７に示すように、上扉カバー30の側部正面側に取り付けられたランプカバー33Aの内部に発光体基板33Bが内蔵されているものである。表示窓33は、後述する上扉枠50に設けられた液晶表示装置52の液晶画面を、正面側から視認可能とするためのものである。
【００１９】
また、上扉カバー30の底部には、図５に示すように、上パネルユニット70を挿入可能な底面視横長の底部スリット34が形成されている。底部スリット34は、上扉カバー30の底板に設けられた開口部であるが、その内部は、以下に述べる上扉枠50の正面部と上扉カバー30の背面部との間隙に連通している。そして、上パネルユニット70を挿入すると、上パネルユニット70が上扉枠50の正面を覆うとともに、上扉カバー30の開口部31を内側から塞ぐようになっている。
（上扉枠50）
上扉枠50は、図３に示すように、中央部に開口部51を有する板状の枠部材である。開口部51の下方には、７セグメント表示器等により遊技回数や払い出しメダル数、クレジット数などを表示させるための表示ユニット54が設けられ、開口部51の上方には、液晶表示装置52が固定されている。また、液晶表示装置52の両側には、スピーカ53が設けられている。前記表示ユニット54の表示は、上扉カバー30と上扉枠50の間に上パネルユニット70を取り付けたとき、上パネル72を通して正面側から遊技者に見えるようになっている。
【００２０】
また、図２に示すように、上扉枠50の裏面には、リールユニット20の支持体21に設けられた支持体ヒンジ25に係合可能な上扉係合部56が上下方向に間隔をおいて二つ設けられており、上扉係合部56の対向側端部には、ロック機構55が設けられている。
ここで、前記ロック機構55は、上扉枠50側に設けられた係止片が、筐体１の反ヒンジ側の側板16内側面に設けられた凸部に係止され、扉を閉めると自動的にロックされ、解錠手段によりロックが解除さるように形成されているものである。そして、リールユニット20を筐体１に収納し固定した状態で上扉30を閉めると、筐体１の開口上部13を塞ぐことができ、同時にロックされて開口上部13を施錠することができる。さらに、上扉枠50のロック機構55は扉外側から解錠することができず、下扉40が開いているときにロック解除可能となっている。
【００２１】
さらに、上扉枠50の枠底部57には、図８及び図１０に示すように、上扉３を正面視したとき水平方向に回動可能な固定レバー90が設けられている。固定レバー90は、上パネルユニット70の落下防止のための固定部材であり、図９に示すように、枠底部57の底板57Aに形成された段部Ｄに軸止されているとともに、図８及び図１０に示すように、上扉カバー30と上扉枠50を固定したときに、上扉カバー30の底部スリット34から指などで操作可能になっている。
（上パネルユニット70）
上パネルユニット70は、上扉カバー30の開口部31を塞ぐ板部材であり、図４に示すように、方形枠状の上パネル枠71に、係止フック74を介して上パネル72を固定したものである。
【００２２】
上パネル枠71は、図３及び図７に示すように、取り付け時に正面側となる面に枠状の突起が形成されているとともに、背面側には、図４に示すように、４個の係止フック74と、１個の仮止めフック75が設けられている。係止フック74は、上パネル枠71の側方上端側と、下方側端側にそれぞれ２個ずつ配置され、図７に示すように、枠内側に鉤爪状の係合部を有し、弾性変形して上パネル72の端部を挟持可能に形成されている。また、仮止めフック75は、上パネル枠71の下方中央部に設けられ、図１０に示すように、背面側に鉤爪状の係合部を有し、弾性変形して上扉枠50に形成された溝57bと係合可能に形成されている。
上パネル72は、透明なアクリル板に印刷又は着色シールを貼付して表面に絵柄や文字を表示してあると共に、印刷又はシールのくりぬきにより、上扉３の図柄表示窓3aとなる透明部73が形成されている。また、特に図示しないが、透明部73の下方に、表示ユニット54の文字数字を表面側から視認可能とする透明部又は透光部が設けられている。そして、上パネル72を上パネル枠71に背面側から固定すると、上パネル枠71の正面側の内縁部71Aは上パネル72の正面側の表面よりも突出するようになっている。
【００２３】
なお、上記した例では、係止フック74と仮止めフック75を別々に設けてあるが、図１２に示すように、係止フック74と仮止めフック75を一体的に形成したものを設けてもよい。この場合、上パネル枠71の側方上端側には図４に示すような係止フック74を設け、下方側には１個又は複数の一体型フックを設けるようにするとよい。
また、上記した例では、上パネル72を上パネル枠71の背面側からフックで固定するようにしてあったが、上パネル72を上パネル枠71にスライドさせて嵌め込むように形成してもよい。この場合には、上パネル枠71の上面側にスリットを設けるのが好ましい。
（上パネルユニット70の取り付け）
上記した上パネルユニット70を、前記上扉カバー30及び上扉枠50を合体させた上扉本体3Aに装着する場合には、まず、固定フック90を、図８（Ａ）に示すように、上パネルユニット70の挿入を阻害しない開位置に回動させておく。すなわち、底部スリット34の正面側の縁部と、底部スリット34の一部を塞いでいる枠底部57の底板57Aとの間の空間部34Aに、固定フック90が突出しないようにしておく。そして、図５に示すように、上パネルユニット70を前記底部スリット34の空間部34Aからスライドさせて挿入する。なお、前記空間部34Aの前後方向の幅は、上パネルユニット70の厚さとほぼ同程度であるが、図３に示すように、上パネル枠71の正面側は上パネル72の表面よりも突出しているので、上パネルユニット70の挿入時に上パネル72の表面が摺れて傷つくことがない。また、図５及び図１０に示すように、上扉枠50の底板57Aには、上パネルユニット70の背面側に突出している仮止めフック45が通過できる溝57aが形成されているので、上パネルユニット70の挿入時に仮止めフック45が引っかかることはない。
【００２４】
ここで、上扉カバー30の左右の開口縁部35の裏側には、図７に示すように、背面側に突出する押さえ部36が上下方向にわたって設けられているとともに、上扉枠50の正面側両端部には、図３及び図７に示すように、前記押さえ部36と対向して突出する押さえ部58が形成されている。そして、上扉カバー30の押さえ部36と上扉枠50の押さえ部58によって、上パネルユニット70の側端部を挟持してガイドするガイド部Ｌが形成されている。底部スリット34に上パネルユニット70の上端部を嵌め込んで上扉３の上部方向に押し入れることにより、上パネルユニット70はこのガイド部Ｌにガイドされつつ、上扉カバー30及び上扉枠50の隙間に挿入される。
【００２５】
なお、押さえ部58には、図３及び図７に示すように、上パネル枠71の係止フック74との干渉を避けるための切り欠き58aが上下方向に形成されているので、上パネルユニット70の挿入時に係止フック74が引っかかることはない。さらに、切り欠き58aの上端を、上パネルユニット70が定位置となったときに側端部上側に設けてある係止フック74が当接する位置にしておけば、切り欠き58aの上端を位置決めストッパーとして機能させることができる。
そして、上パネルユニット70を定位置まで押し上げると、上扉枠50の開口部51を表面側（正面方向）から覆い、上扉カバー30の開口部31を裏面側（背面方向）から塞ぐ位置に収納される。上パネルユニット70を上扉カバー30と上扉枠50の間の定位置に収納すると、図６及び図７及び図１０に示すように、上パネル枠71の内縁部71Aは、上扉カバー30の開口部31の開口縁部35と面一になる。また、このとき、図１０に示すように、上パネル枠71に設けられている仮止めフック75が、上扉枠50の枠底部57の背面横板57Bに設けられた溝57bに係止され、上パネルユニット70は、自重で底部スリット34から落下しないように扉本体3Aに仮止めされる。なお、係止された仮止めフック75の先端は、背面横板57Bの表面から突出しており（図２参照）、上扉３の背面側からドライバーなどの尖端部材で突くことにより、仮止めを解除することができる。
【００２６】
上記した仮止め状態において、固定レバー90を、図８（Ｂ）に示すように正面側に回動させて、底部スリット34の一部を塞ぐ閉位置に移動させることにより、図１０に示すように、上パネル枠71の下端部が固定レバー90によって下側から支持される。すなわち、上パネルユニット70は、例えば上パネルユニット70を底部スリット34側に無理矢理移動させようとしても底部スリット34から抜脱することなく、上扉本体3Aに確実に固定されるものである。
上パネルユニット70を上扉本体3Aから取り外す場合には、固定レバー90を図８（Ａ）に示す位置に戻し、上扉３の背面側から仮止めフック75の係止を外し、上パネルユニット70を底部スリット34から抜き取ればよい。この際、底部スリット34から上パネル枠71の下端部が突出するまで、上パネル72の表裏面を両手で挟んで移動させるようにするとよい。
【００２７】
なお、上記例では、上パネル枠71に仮止めフック75を設け、上扉枠50に仮止めフック75を係止するための溝87bを設けてあるが、上パネルユニット70が上扉枠50に仮固定されるのであれば、仮止めのための構造はどのようなものでも構わない。例えば、上扉枠50にフック、上パネル枠71に溝や係止片（突起）を設けてもよいし、上パネル枠71又は上扉枠50に出没突起を設け、対向する上扉枠50又は上パネル枠71に前記出没突起が突出可能な孔や凹部を設けてもよい。
また、上パネルユニット70を扉本体3Aに固定する固定部材としては、上記した固定レバー90のような形態のものに限られない。例えば、上扉枠50の裏面側からピンを挿入し、上パネルユニット70の上パネル枠71に形成された孔又は凹部に係合させるようなものでもよい。あるいは、固定部材として、上記した仮止めフック75と同様の形状（図１０参照）のフックを複数設け、上パネルユニット70が仮止めと同時に固定されるようにしてもよい。要は、人が何らかの操作をすることにより係止部が位置移動（弾性変形を含む）して、上パネルユニット70の底部スリット34への挿入を阻害しない（スリット内を摺動可能となる）開位置、及び上パネルユニット70の底部スリット34からの抜け落ちを阻止する閉位置に移動（被係止部への係合を含む）可能なものであれば、どのような形態であっても構わない。
【００２８】
（下扉４）
下扉４は、筐体１の開口下部14を塞ぐための、上扉３よりも幅厚の扉であり、筐体１の側板16に回転自在かつロック可能に形成されているものである。そして図２及び図１１に示すように、下扉枠60に下扉カバー40を固定して下扉本体4Aと成し、下扉本体4Aに下パネルユニット80を着脱自在に取り付けた構成となっている。
下扉本体4Aの上部は、スロットマシンを作動させるための操作部41となっており、下扉本体4Aの上面は、扉を閉じた時においては、上扉３よりも前側に突出するようになっている。前記操作部41としては、上面右端に形成されたメダル投入口42、上面左側に設けられたベットスイッチ43、正面側にはスタートスイッチ44及びストップスイッチ45が設けられている。スタートスイッチ44及びストップスイッチ45は、回転リール23の回転を開始及び停止させるためのものである。ベットスイッチ43は、貯留メダルをメダル投入に代えるためのものである。また、下扉本体4Aの下部には、ホッパーユニット５から払い出されたメダルを貯めておくためのメダル皿46が形成されている。
【００２９】
前記操作部41とメダル皿46の間には、図１１に示すように、凹部61が形成されており、内部に蛍光灯などの照明装置62が設けられている。そして、この凹部61の周囲には、下パネルユニット80を着脱自在に取り付けるための係合孔が形成されている。
さらに、図２に示すように、下扉本体4Aの裏面側には、メダル投入口42から投入されたメダルを誘導しながらメダルの真贋を判断するためのメダルセレクター63が設けられている。また、下扉本体4Aの裏面において右側端部には、筐体ヒンジ19と係合可能な下扉係合部66が上下方向に間隔をおいて二つ設けられており、下扉本体4Aの裏面において左側端部には、ロック機構65が設けられている。このロック機構65は、上扉３のロック機構と基本的構造は同じであるが、下扉本体4Aの正面側の側端部に設けられた鍵穴47に所定の鍵（解除手段）を差し込んで回すと、ロックが解除されるようになっている。
【００３０】
下パネルユニット80は、図１１に示すように、下扉本体4Aの凹部61を覆うように取り付けられるカバー状の部材であり、下パネル枠81に下パネル82を嵌め込んだ構成となっている。下パネル82は正面側に遊技内容その他の表示がされるものであり、下扉本体4Aの凹部61に設けられた照明装置62により内側から照明される。
下パネル枠81の裏面の両側端部上方には、それぞれ係止フック83が設けられており、下パネル枠81の裏面下端部には、背面側に突出する複数の係止突起84が設けられている。そして、前記係止フック83及び係止突起84を、下扉本体4Aに設けられた係合孔にそれぞれ係合させることにより、下扉本体4Aに取り付けることができ、その係合を解除することにより下扉本体4Aから取り外し可能に形成されている。
【００３１】
下パネルユニット80は、下パネル82の表示が機種毎に異なるものであることから、面替えの際にはリールユニット20及び上パネルユニット70とセットで交換される。
（スロットマシンＳの機種交換）
以上のように形成されたスロットマシンＳにおいて、いわゆる面替えを行う際には、前扉２を開けてリールユニット20を上扉３ごと筐体１から取り外し、下扉４から下パネルユニット80を取り外す。それから、新しいリールユニット20と上扉３を筐体１に取り付け固定し、下パネルユニット80を下扉４に取り付ける。こうして、筐体１とその内部に設置されているホッパーユニット５や電源ユニット６はそのままに、上扉３と下パネルユニット80の交換によりスロットマシンの正面デザインを新たなものとすることができ、リールユニット20及び制御装置７を新たな機種に対応したものに変更することができる。
【００３２】
さらに、交換されたリールユニット20及び下パネルユニット80は、再生工場に移送されリサイクル処理される。ホールから送られてきた交換済みの上扉３を、新機種用に作り替える場合には、上扉本体3Aから上パネルユニット70を取り出し、新機種に応じた新たなパネルユニット70と交換し、扉本体3Aは新機種にそのまま再利用することができる。リールユニット20については、制御装置７と回転リール40のリールテープのみ交換すれば、残りはそのまま再利用することができる。
このように、本実施の形態によれば、特に上扉３を再生処理する際、上パネルユニット70を抜き出し新たな上パネルユニット70を挿入して交換するだけでよく、上扉カバー30と上扉枠50を分解する必要が無いため、分解組み立て作業を簡易かつ迅速に行うことができるものである。
【００３３】
また、上パネルユニット70の上パネル72の表面は、正面側から見ると上パネル枠71よりも一段奥まっているので、装着する際のスライド移動によってパネル表面に傷つくことがない。さらに、突出している上パネル枠71の内縁部71Aは上扉カバー30の開口部31の開口縁部35と面一になるので、外観上も優れている。なお、上パネル枠71の内縁部71Aは、開口縁部35と完全に「面一」にならなくても、正面視したとき開口縁部35から視認できないように開口部31の外側に位置するように形成してもよい。
さらに、上パネルユニット70を挿入する部分を上扉本体3Aの底部（閉扉状態では下扉４によって触れることができない部分）に設けてあることから、固定フック90のような簡易な固定部材でも上パネルユニット70を固定するのに十分であり、底部スリット34を塞がなくても、セキュリティ上の問題もない。
【００３４】
ところで、上記した実施の形態では、上扉３を、上扉カバー30と上扉枠50とから構成し、上扉カバー30の押さえ部36と上扉枠50の押さえ部58によって、上パネル枠71の側端部を挟持するように形成してあったが、図１３に示すように、一体形成した上扉本体3Aの開口部31の両脇内部に、断面コ字型のガイドレールを縦方向に配置して、上パネル枠71の上下動をガイドするようにしてもよい。
また、上記した実施の形態では、上扉３をリールユニット20の支持体21に取り付けてあったため、機種は異なるもののシリーズが同じスロットマシンＳと交換する場合であっても、上扉３をリールユニット20と同時に交換するようになっていたが、上扉３をリールユニット20から着脱自在に形成するか、あるいは上扉３を筐体１にヒンジを介して（着脱自在に）取り付けることにより、上扉本体3Aは筐体１に残したまま、上パネルユニット70のみを交換することが可能である。この場合、下扉４を閉め上扉３を開いた状態（先に下扉４を開放してから上扉３を開放しその後下扉４を閉める）で、上扉本体3Aの底部から上パネルユニット70を抜き取ってもよいし、上扉３をリールユニット20又は筐体１から取り外して、上パネルユニット70を交換してもよい。上扉３を筐体側に装着したまま上パネルユニット70を交換する場合には、固定フック90を開位置に移動させて固定を解除しても、上パネルユニット70は仮止めフック75により仮固定されているため、底部スリット34から抜け落ちることがなく、落下による上パネルユニット70の破損や作業者の怪我などを防止できる。このような交換方法おいて、仮止めフック75を設ける意義が大きい。
【００３５】
なお、本発明は、スロットマシン以外の遊技機にも応用できる。例えば、遊技媒体として遊技球を用いスロットマシンと同様の遊技を行わせるパロット遊技機に応用することができる。
【符号の説明】
【００３６】
Ｓ  スロットマシン                  Ｌ  ガイド部
１  筐体                            ２  前扉
３  上扉                            3A  上扉本体（扉本体）
3a  図柄表示窓                      ４  下扉
11  開口部                          12  中板
13  開口上部                        14  開口下部
20  リールユニット                  30  上扉カバー
34  底部スリット（挿入溝）          35  開口縁部（正面側内縁部）
36  押さえ部
40  下扉カバー                      50  上扉枠
57b  溝（被係合部）                  58  押さえ部
70  上パネルユニット（パネル体）    71  上パネル枠（パネル枠）
71A  内縁部（正面側内縁部）          72  上パネル（パネル）
74  係止フック                      75  仮止めフック（係合部）
80  下パネルユニット                90  固定レバー（固定部材）
【図１】
0005390290.tif 000002
【図２】
0005390290.tif 000003
【図３】
0005390290.tif 000004
【図４】
0005390290.tif 000005
【図５】
0005390290.tif 000006
【図６】
0005390290.tif 000007
【図７】
0005390290.tif 000008
【図８】
0005390290.tif 000009
【図９】
0005390290.tif 000010
【図１０】
0005390290.tif 000011
【図１１】
0005390290.tif 000012
【図１２】
0005390290.tif 000013
【図１３】
0005390290.tif 000014